(57)【要約】【課題】固定ボルトや固定ナットで被固定物を対象物に固定した際、その固定ボルトや固定ナットを外部に露呈させることを困難にすることができる固定ボルトおよび固定ナット用下端部密着型防犯具の提供を課題とする。【解決手段】固定ボルト２の頭部２ａおよびワッシャー２ｂとナンバープレート１の表面との間にはスペース部材１０によって空隙が形成されている。スペース部材１０は、円筒状のスペーサ部１１，底板部１２，底板立上部１３によって構成されている。冠着部材２０は、固定ボルト２の頭部２ａおよびワッシャー２ｂに冠着する。この冠着部材２０の側壁部２２の下端部には、ボルト用係止爪２３が形成されている。中空円筒形の形状を有する周壁部材３０の内壁面の下端部には円状突起部が形成されている。この円状突起部が、冠着部材２０の側壁部２２を押圧し、周壁部材用係止爪２４，２５はこの円状突起部に係合する。【選択図】  図４
2006266299.tif 000002
【特許請求の範囲】
【請求項１】
固定ボルトが挿通可能な被固定物を当該固定ボルトと螺合する雌ネジ部を有する対象物
に前記固定ボルトで固定した際、前記固定ボルトの頭部の下端面と前記被固定物の表面と
の間に空隙を形成するスペース部材と、
天板部と該天板部の周縁部から下方に延在する複数枚の側壁部とを有し、前記固定ボル
トの頭部に冠着する冠着部材であって、前記複数枚の側壁部の下端部には、前記固定ボル
トの頭部に冠着した際、前記被固定物の表面と前記固定ボルトの頭部の下端面との間に形
成されている空隙部分に挿入可能なボルト用係止爪が形成されている冠着部材と、
前記固定ボルトの頭部に冠着した前記冠着部材の外側面部を覆う中空円筒状の周壁部材
であって、該周壁部材の内周壁面の下端部には、内側方向に突設され前記冠着部材の側壁
部を押圧する円状突起部が形成されている周壁部材とから構成され、
前記冠着部材には、前記周壁部材の前記円状突起部の上面部分に係合する周壁部材用係
止爪であって、前記天板部の周縁部から下方に延在する周壁部材用係止爪が形成され、
前記スペース部材は、
前記固定ボルトが挿通可能な中空円筒状であって前記固定ボルトの頭部の下端面と前記
被固定物の表面との間に空隙を形成するスペーサ部と、
該スペーサ部の下端部から周辺方向に延在するよう当該スペーサ部の下端部に連設され
た中空円盤状の底板部であって、その外径が前記周壁部材の外径に略等しい底板部と、
該底板部の周縁部から鉛直方向上方に延在するように当該底板部に連設された中空円筒
状の底板立上部とから構成され、
前記固定ボルトの締着時に前記底板部は前記被固定物の表面に圧接し、前記周壁部材を
装着した際、当該周壁部材の下端部に冠着状態となるスペース部材であることを特徴とす
る固定ボルト用下端部密着型防犯具。
【請求項２】
前記被固定物はナンバープレートであり、前記対象物は自動車の車体であり、前記周壁
部材は、前記ナンバープレートの表面の全体を覆う合成樹脂製の保護カバーと一体的に形
成されていることを特徴とする請求項１に記載の固定ボルト用下端部密着型防犯具。
【請求項３】
前記中空円筒状の前記周壁部材の内側に嵌入可能な中空円筒状の形状を有し、その内径
が前記周壁部材の前記円状突起部の上面部分の内径以下である係止解除具をさらに具える
ことを特徴とする請求項１または請求項２に記載の固定ボルト用下端部密着型防犯具。
【請求項４】
対象物に固定されているボルトが挿通可能な被固定物を当該ボルトと螺合する固定ナッ
トで前記ボルトに固定した際、前記固定ナットの下端面と前記被固定物の表面との間に空
隙を形成するスペース部材と、
天板部と該天板部の周縁部から下方に延在する複数枚の側壁部とを有し、前記固定ナッ
トに冠着する冠着部材であって、前記複数枚の側壁部の下端部には、前記固定ナットに冠
着した際、前記被固定物の表面と前記固定ナットの下端面との間に形成されている空隙部
分に挿入可能なナット用係止爪が形成されている冠着部材と、
前記固定ナットに冠着した前記冠着部材の外側面部を覆う中空円筒状の周壁部材であっ
て、該周壁部材の内周壁面の下端部には、内側方向に突設され前記冠着部材の側壁部を押
圧する円状突起部が形成されている周壁部材とから構成され、
前記冠着部材には、前記周壁部材の前記円状突起部の上面部分に係合する周壁部材用係
止爪であって、前記天板部の周縁部から下方に延在する周壁部材用係止爪が形成され、
前記スペース部材は、
前記ボルトが挿通可能な中空円筒状であって前記固定ナットの下端面と前記被固定物の
表面との間に空隙を形成するスペーサ部と、
該スペーサ部の下端面から周辺方向に延在するよう当該スペーサ部の下端部に連設され
た中空円盤状の底板部であって、その外径が前記周壁部材の外径に略等しい底板部と、
該底板部の周縁部から鉛直方向上方に延在するように当該底板部に連設された中空円筒
状の底板立上部とから構成され、
前記固定ナットの締着時に前記底板部は前記被固定物の表面に圧接し、前記周壁部材を
装着した際、当該周壁部材の下端部に冠着状態になるスペース部材であることを特徴とす
る固定ナット用下端部密着型防犯具。
【請求項５】
前記中空円筒状の前記周壁部材の内側に嵌入可能な中空円筒状の形状を有し、その内径
が前記周壁部材の前記円状突起部の上面部分の内径以下である係止解除具をさらに具える
ことを特徴とする請求項４に記載の固定ナット用下端部密着型防犯具。
【発明の詳細な説明】
【技術分野】
【０００１】
本発明は、固定ボルトを用いてこれと螺合する対象物に被固定物を固定した際や、固定
ナットを用いて対象物に固定されているボルトに被固定物を固定した際に、この被固定物
を盗難から守る固定ボルトおよび固定ナット用下端部密着型防犯具に関するものである。
【背景技術】
【０００２】
自動車のナンバープレートやアルミホイール等の部品を車体に固定する場合や、変圧器
や自動販売機等の機器をその設置場所に固定する場合には、通常、固定ボルトや固定ナッ
トを用いてその固定が行なわれている。
【０００３】
例えば、図１４に示したように、従来からナンバープレート１は固定ボルト２によって
自動車等の車体Ｍに固定されている。
【０００４】
近年、駐車中の自動車等の車体Ｍからナンバープレート１のみを盗むという犯罪が増加
している。この犯罪を行なう者は、一般に市販されているドライバ等の器具を用いて、固
定ボルト２を外し短時間のうちにナンバープレート１のみを盗んでいく。
【０００５】
このような犯罪を防ぐために、図１５に示したような特殊な形状の凹部１０３が形成さ
れている固定ボルト２が既に提案されている。図１５に示した固定ボルト２は、凹部１０
３に嵌合する凸部１０４を有する専用の器具１０５を用いた場合のみ容易に車体Ｍから外
せるように構成されている。
【０００６】
しかしながら、図１５に示した固定ボルト２を用いてナンバープレート１を車体Ｍに固
定した場合でも、固定ボルト２の頭部が露出した状態となっているので、ペンチやプライ
ヤー等の一般に市販されている工具を用いてボルト２を緩め、犯罪者がナンバープレート
１を比較的短時間で盗むことは可能であった。
【０００７】
このような固定ボルトや固定ナットを外して行なわれる盗難事件を防ぐために、以下の
ような固定ボルトおよび固定ナット用防犯具を本願出願人は既に提案している（特願２０
０４−３６４４８８）。
【０００８】
図１６および図１７において、１は対象物である車体Ｍに装着される被固定物であるナ
ンバープレートであり、１０ａは、固定ボルト２の頭部の下端面に当接してこの下端面と
ナンバープレート１の表面との間に空隙を形成するために配設されているスペーサである
。
【０００９】
２０は固定ボルト２の頭部に冠着する冠着部材であり、３０は冠着部材２０の外側面を
覆う周壁部材である。この固定ボルト用防犯具においては、冠着部材２０は金属によって
構成し、周壁部材３０も金属によって構成してあるが、この冠着部材２０を構成する材料
や周壁部材３０を構成する材料は、以上の材料に限定されるものではない。
【００１０】
ここで図１８，図１９を用いて冠着部材２０および周壁部材３０の構成を説明する。図
１８は冠着部材２０および周壁部材３０の構成を示す分解斜視図であり、図１９は固定ボ
ルト２の頭部２ａに装着された状態での冠着部材２０および周壁部材３０の断面図である
。なお図１８および図１９において、２ｂは固定ボルト２の頭部２ａの下端面に密着する
ように配設されているワッシャーである。
【００１１】
先ず、金属製の冠着部材２０の構成について説明する。
【００１２】
冠着部材２０は、天板部２１とこの天板部２１の周縁部から下方（天板部２１から視て
ボルト２の方向）に延在する複数枚の側壁部２２および周壁部材用係止爪２４，２５によ
って構成されている。
【００１３】
側壁部２２の下端部には、図１９に示したように、固定ボルト２の頭部２ａおよびワッ
シャー２ｂとナンバープレート１の表面との間にスペーサ１０ａによって形成される空隙
Ｓに挿入され、ワッシャー２ｂを介して固定ボルト２の頭部２ａの下端面に当接するボル
ト用係止爪２３が形成されている。
【００１４】
この金属製の弾性を有する冠着部材２０は、固定ボルト２の頭部２ａおよびワッシャー
２ｂに容易に被せることができるようにその側壁部２２および周壁部材用係止爪２４，２
５が若干開いた状態に形成されている。
【００１５】
周壁部材３０の内周壁面の下端部には、図１９に示したように、その全周に亘って内側
方向に突設された円状突起部３１が形成されている。この周壁部材３０の円状突起部３１
に押圧されることにより、冠着部材２０のボルト用係止爪２３は、固定ボルト２の頭部２
ａの下端面にワッシャー２ｂを介して当接した状態を維持することができる。
【００１６】
ここで、図１８に示したように、弾性を有する金属製の冠着部材２０に配設されている
周壁部材用係止爪２４，２５は、その下端部が、図２０に示すように、周壁部材３０の円
状突起部３１の上面部分に当接するように形成されている。図２０に示したように、この
周壁部材用係止爪２４，２５は円状突起部３１の上面に略直角な状態で当接するように形
成されているので、冠着部材２０に装着されている周壁部材３０を容易に外すことはでき
ない。
【００１７】
以上説明したように、この固定ボルト用防犯具によれば、固定ボルト２の頭部２ａに冠
着部材２０および周壁部材３０が装着された図１９に示した状態においては、固定ボルト
２の頭部２ａを外部に露呈することは著しく困難となる。
【発明の開示】
【発明が解決しようとする課題】
【００１８】
しかしながら、以上のように構成された固定ボルト用防犯具においては、図２１および
図２２に示したように先端が楔状となっているマイナスドライバーＤ等を、周壁部材３０
の下端部とナンバープレート１の表面との間に差し込み、梃子の原理を用いて周壁部材３
０を上方に押し上げた場合には、周壁部材３０が外れてしまうかもしれないという虞れが
あった。
【課題を解決するための手段】
【００１９】
以上の問題を解決するために本発明は、固定ボルトが挿通可能な被固定物を当該固定ボ
ルトと螺合する雌ネジ部を有する対象物に前記固定ボルトで固定した際、前記固定ボルト
の頭部の下端面と前記被固定物の表面との間に空隙を形成するスペース部材と、天板部と
該天板部の周縁部から下方に延在する複数枚の側壁部とを有し、前記固定ボルトの頭部に
冠着する冠着部材であって、前記複数枚の側壁部の下端部には、前記固定ボルトの頭部に
冠着した際、前記被固定物の表面と前記固定ボルトの頭部の下端面との間に形成されてい
る空隙部分に挿入可能なボルト用係止爪が形成されている冠着部材と、前記固定ボルトの
頭部に冠着した前記冠着部材の外側面部を覆う中空円筒状の周壁部材であって、該周壁部
材の内周壁面の下端部には、内側方向に突設され前記冠着部材の側壁部を押圧する円状突
起部が形成されている周壁部材とから構成され、前記冠着部材には、前記周壁部材の前記
円状突起部の上面部分に係合する周壁部材用係止爪であって、前記天板部の周縁部から下
方に延在する周壁部材用係止爪が形成され、前記スペース部材は、前記固定ボルトが挿通
可能な中空円筒状であって前記固定ボルトの頭部の下端面と前記被固定物の表面との間に
空隙を形成するスペーサ部と、該スペーサ部の下端部から周辺方向に延在するよう当該ス
ペーサ部の下端部に連設された中空円盤状の底板部であって、その外径が前記周壁部材の
外径に略等しい底板部と、該底板部の周縁部から鉛直方向上方に延在するように当該底板
部に連設された中空円筒状の底板立上部とから構成され、前記固定ボルトの締着時に前記
底板部は前記被固定物の表面に圧接し、前記周壁部材を装着した際、当該周壁部材の下端
部に冠着状態となるスペース部材であることを特徴とするものである。
【００２０】
ここで、前記被固定物はナンバープレートであり、前記対象物は自動車の車体であり、
前記周壁部材は、前記ナンバープレートの表面の全体を覆う合成樹脂製の保護カバーと一
体的に形成してもよい。
【００２１】
さらに、前記中空円筒状の前記周壁部材の内側に嵌入可能な中空円筒状の形状を有し、
その内径が前記周壁部材の前記円状突起部の上面部分の内径以下である係止解除具をさら
に具えていてもよい。
【００２２】
また、先の問題を解決するために本発明は、対象物に固定されているボルトが挿通可能
な被固定物を当該ボルトと螺合する固定ナットで前記ボルトに固定した際、前記固定ナッ
トの下端面と前記被固定物の表面との間に空隙を形成するスペース部材と、天板部と該天
板部の周縁部から下方に延在する複数枚の側壁部とを有し、前記固定ナットに冠着する冠
着部材であって、前記複数枚の側壁部の下端部には、前記固定ナットに冠着した際、前記
被固定物の表面と前記固定ナットの下端面との間に形成されている空隙部分に挿入可能な
ナット用係止爪が形成されている冠着部材と、前記固定ナットに冠着した前記冠着部材の
外側面部を覆う中空円筒状の周壁部材であって、該周壁部材の内周壁面の下端部には、内
側方向に突設され前記冠着部材の側壁部を押圧する円状突起部が形成されている周壁部材
とから構成され、前記冠着部材には、前記周壁部材の前記円状突起部の上面部分に係合す
る周壁部材用係止爪であって、前記天板部の周縁部から下方に延在する周壁部材用係止爪
が形成され、前記スペース部材は、前記ボルトが挿通可能な中空円筒状であって前記固定
ナットの下端面と前記被固定物の表面との間に空隙を形成するスペーサ部と、該スペーサ
部の下端面から周辺方向に延在するよう当該スペーサ部の下端部に連設された中空円盤状
の底板部であって、その外径が前記周壁部材の外径に略等しい底板部と、該底板部の周縁
部から鉛直方向上方に延在するように当該底板部に連設された中空円筒状の底板立上部と
から構成され、前記固定ナットの締着時に前記底板部は前記被固定物の表面に圧接し、前
記周壁部材を装着した際、当該周壁部材の下端部に冠着状態になるスペース部材であるこ
とを特徴とするものである。
【００２３】
ここで、前記中空円筒状の前記周壁部材の内側に嵌入可能な中空円筒状の形状を有し、
その内径が前記周壁部材の前記円状突起部の上面部分の内径以下である係止解除具をさら
に具えていてもよい。
【発明の効果】
【００２４】
本発明によれば、固定ボルトを用いてこれと螺合する対象物に被固定物を固定した場合
や、固定ナットを用いて対象物に固定されているボルトに被固定物を固定した場合に、固
定ボルトや固定ナットを緩める際に使用される固定ボルトの頭部や固定ナットを外部に露
呈させることを著しく困難にすることができて、被固定物を盗むことを困難にすることが
できる。
【発明を実施するための最良の形態】
【００２５】
以下、図面を用いて本発明の実施例を説明する。
【実施例１】
【００２６】
図１は本発明の実施例１が装着されている被固定物であるナンバープレートを示した斜
視図であり、図２はその分解斜視図である。
【００２７】
図１および図２において、１は対象物である車体Ｍに装着される被固定物であるナンバ
ープレートであり、１０は、固定ボルト２の頭部の下端面に当接してこの下端面とナンバ
ープレート１の表面との間に空隙を形成するために配設されているスペース部材である。
【００２８】
２０は固定ボルト２の頭部に冠着する冠着部材であり、３０は冠着部材２０の外側面を
覆う周壁部材である。本実施例１においては、冠着部材２０は金属によって構成し、周壁
部材３０も金属によって構成してあるが、この冠着部材２０を構成する材料や周壁部材３
０を構成する材料は、以上の材料に限定されるものではない。
【００２９】
ここで図３，図４を用いてスペース部材１０，冠着部材２０，周壁部材３０の構成を説
明する。図３はスペース部材１０，冠着部材２０，周壁部材３０の構成を示す分解斜視図
であり、図４は固定ボルト２の頭部２ａに装着された状態でのスペース部材１０，冠着部
材２０，周壁部材３０の断面図である。なお図３および図４において、２ｂは固定ボルト
２の頭部２ａの下端面に密着するように配設されているワッシャーである。
【００３０】
先ず、金属製の冠着部材２０の構成について説明する。
【００３１】
冠着部材２０は、天板部２１とこの天板部２１の周縁部から下方（天板部２１から視て
ボルト２の方向）に延在する複数枚の側壁部２２および周壁部材用係止爪２４，２５によ
って構成されている。
【００３２】
側壁部２２の下端部には、図４に示したように、固定ボルト２の頭部２ａおよびワッシ
ャー２ｂとナンバープレート１の表面との間にスペース部材１０によって形成される空隙
Ｓに挿入され、ワッシャー２ｂを介して固定ボルト２の頭部２ａの下端面に当接するボル
ト用係止爪２３が形成されている。
【００３３】
この金属製の弾性を有する冠着部材２０は、固定ボルト２の頭部２ａおよびワッシャー
２ｂに容易に被せることができるようにその側壁部２２および周壁部材用係止爪２４，２
５が若干開いた状態に形成されている。
【００３４】
周壁部材３０の内周壁面の下端部には、図４に示したように、その全周に亘って内側方
向に突設された円状突起部３１が形成されている。この周壁部材３０の円状突起部３１に
押圧されることにより、冠着部材２０のボルト用係止爪２３は、固定ボルト２の頭部２ａ
の下端面にワッシャー２ｂを介して当接した状態を維持することができる。
【００３５】
ここで、図３に示したように、弾性を有する金属製の冠着部材２０に配設されている周
壁部材用係止爪２４，２５は、その下端部が、図５に示すように、周壁部材３０の円状突
起部３１の上面部分に当接するように形成されている。図５に示したように、この周壁部
材用係止爪２４，２５は円状突起部３１の上面に略直角な状態で当接するように形成され
ているので、冠着部材２０に装着されている周壁部材３０を容易に外すことはできない。
【００３６】
スペース部材１０は、図３および図４に示すように、固定ボルト２を締着した際に固定
ボルト２の頭部２ａおよびワッシャー２ｂとナンバープレート１の表面との間に空隙Ｓを
形成するスペーサ部１１と、ナンバープレート１の表面に圧接する底板部１２と、底板部
１２の周縁部に連設されている中空円筒状の底板立上部１３とによって構成されている。
【００３７】
スペーサ部１１は、固定ボルト２が挿通可能な中空円筒状の形状であり、その下端部に
は周辺方向に延在するように中空円盤状の底板部１２が連設されている。
【００３８】
底板部１２の外径は、周壁部材３０の外径と略等しくなるように選ばれている。底板部
１２の周縁部には、鉛直方向上方に延在するように、中空円筒状の底板立上部１３が連設
されている。
【００３９】
このように形成されたスペース部材１０は、図４に示すように、固定ボルト２を締着し
た状態では底板部１２がナンバープレート１の表面に圧接し、周壁部材３０を装着した際
にはその周壁部材３０の下端部に冠着した状態となる。従って、このようなスペース部材
１０を配設することとすれば、マイナスドライバーのような楔状の物を周壁部材３０の下
端部に差し込んで、この装着状態にある周壁部材３０を外すことは出来なくなる。
【００４０】
以上説明したように、本実施例によれば、固定ボルト２の頭部２ａに冠着部材２０およ
び周壁部材３０が装着された図１９に示した状態においては、固定ボルト２の頭部２ａを
外部に露呈することは著しく困難となる。
【００４１】
以上のように構成された本実施例１においては、自動車の修理等でナンバープレートを
外す必要が生じたときには、図６に示すような専用の係止解除具６０を用いることにより
、周壁部材３０と冠着部材２０とを容易に外すことができる。
【００４２】
この係止解除具６０は、図７（ａ）ないし（ｃ）に示したように中空円筒形の形状を有
する部材である。係止解除具６０の外径は、図７（ａ），（ｂ）に示すように周壁部材３
０の内側に嵌入可能な値に選ばれている。また、係止解除具６０の内径は、周壁部材３０
の円状突起部３１の上面部分の内径以下となるように選ばれている。
【００４３】
このような係止解除具６０を、図７（ａ）に示すように周壁部材３０に嵌入させて、そ
の先端部を図７（ｂ）に示したように円状突起部３１の上面部分に当接させると、冠着部
材２０の周壁部材用係止爪２４，２５と円状突起部３１の係合状態を解除させることがで
きる。従って図７（ｃ）に示したように、係止解除部材６０と共に周壁部材３０をボルト
頭部から離すことができる。
【００４４】
図７（ｃ）のように冠着部材２０を完全に露出させれば、この冠着部材２０はボルトの
頭部から容易に外すことができる。従ってボルトの頭部を容易に露出させることができて
ナンバープレートを容易に外すことができる。
【００４５】
ここで、図８に示したように周壁部材３０の内周壁面の上部側に突起部３２，３３を設
け、この突起部３２，３３の位置と対応するように係止解除部材６０の外周壁面に溝部６
１，６２を設けて、この溝部６１，６２がそれぞれ突起部３２，３３と合致した場合のみ
、係止解除部材６０が周壁部材３０に嵌入することができるように構成してもよい。
【００４６】
さらに、本実施例１のように被固定物がナンバープレート１である場合には、図９に示
したように、ナンバープレート１の表面の全体を覆う合成樹脂製の保護カバー７０に、周
壁部材３０を一体的に形成するように構成することもできる。
【００４７】
以上説明した実施例１は、対象物である車体Ｍに被固定物であるナンバープレート１を
固定ボルト２で固定する場合に防犯機能を発揮する本発明の実施例である。しかしながら
、本発明の防犯効果は、このような対象物に被固定物を固定する固定ボルトに限定される
ものではない。例えば、図１０に示したように、コンクリートの床Ｆに埋設固定されてい
るボルト３に、自動販売機や変圧器等の被固定物５を固定ナット４によって固定する場合
にも、本発明を適用すれば、この固定ナットに対する防犯効果を得ることができる。
【００４８】
以下、図面を用いて、固定ナットに対する防犯具となる本発明の実施例を説明する。
【実施例２】
【００４９】
図１１は本発明の実施例２の構成を示す斜視図であり、図１２はその分解斜視図である
。
【００５０】
図１１および図１２において、Ｆはコンクリート等で形成された床であり、３はこの床
Ｆにその一部が埋設固定されているボルトである。５は、ボルト３と固定ナット４とによ
って対象物である床Ｆに固定される自動販売機や変圧器等の被固定物である。４ｂは固定
ナット４の下端面に当接するワッシャー、１０はワッシャー４ｂと被固定物５の表面との
間に空隙を形成するためのスペース部材である。
【００５１】
冠着部材２０と周壁部材３０との構成は、図３に示した実施例１の構成と同一の構成で
あるのでその説明は省略する。ただし、本実施例２では、実施例１におけるボルト用係止
爪２３と同一のものをナット用係止爪２６とする。
【００５２】
以上のように構成された本実施例２においては、図１２に示したように、被固定物５を
挿通しているボルト３にスペース部材１０，ワッシャー４ｂを順次挿通させた後、固定ナ
ット４を締めて被固定物５を対象物である床Ｆに固定する。このような状態で、固定ナッ
ト４およびワッシャー４ｂに冠着部材２０を被せた後に周壁部材３０を装着して図１１に
示した状態にする。この図１１に示した状態の断面図を図１３に示す。
【００５３】
図１１および図１３に示したように冠着部材２０を被せて周壁部材３０を装着した状態
において、この冠着部材２０と周壁部材３０とは、図４に示されている実施例１と同様の
状態となる。即ち、固定ナット４に冠着部材２０および周壁部材３０が装着された図１１
および図１３に示した状態においては、固定ナット４を外部に露呈することは著しく困難
となる。
【００５４】
なお、本実施例２においても、実施例１と同様に図６に示したような専用の係止解除具
６０を用いることにより、周壁部材３０と冠着部材とを容易に外すことができる。
【図面の簡単な説明】
【００５５】
【図１】本発明の実施例１の構成を示す斜視図である。
【図２】本発明の実施例１の構成を示す分解斜視図である。
【図３】本発明の実施例１の構成を示す分解斜視図である。
【図４】本発明の実施例１の構成を示す断面図である。
【図５】本発明の実施例１の構成の説明図である。
【図６】本発明の実施例１の構成の説明図である。
【図７】本発明の実施例１の構成の説明図である。
【図８】本発明の実施例１の構成の説明図である。
【図９】本発明の実施例１の構成の説明図である。
【図１０】本発明の実施例２の説明図である。
【図１１】本発明の実施例２の構成を示す斜視図である。
【図１２】本発明の実施例２の構成を示す分解斜視図である。
【図１３】本発明の実施例２の構成を示す断面図である。
【図１４】従来の車体に装着されているナンバープレートの斜視図である。
【図１５】従来の車体に装着されているナンバープレートの斜視図である。
【図１６】従来の固定ボルト用防犯具の構成を示す斜視図である。
【図１７】従来の固定ボルト用防犯具の構成を示す分解斜視図である。
【図１８】従来の固定ボルト用防犯具の構成を示す分解斜視図である。
【図１９】従来の固定ボルト用防犯具の構成を示す断面図である。
【図２０】従来の固定ボルト用防犯具の構成の説明図である。
【図２１】従来の固定ボルト用防犯具の説明図である。
【図２２】従来の固定ボルト用防犯具の説明図である。
【符号の説明】
【００５６】
１  ナンバープレート
２  固定ボルト
２ａ  頭部
２ｂ，４ｂ  ワッシャー
３  ボルト
４  固定ナット
５  被固定物
１０  スペース部材
１０ａ  スペーサ
１１  スペーサ部
１２  底板部
１３  底板立上部
２０  冠着部材
２１  天板部
２２  側壁部
２３  ボルト用係止爪
２４，２５  周壁部材用係止爪
２６  ナット用係止爪
３０  周壁部材
３１  円状突起部
３２，３３  突起部
６０  係止解除部材
６１，６２  溝部
７０  保護カバー
Ｆ  床
Ｍ  車体
Ｓ  空隙
【図１】
2006266299.tif 000003
【図２】
2006266299.tif 000004
【図３】
2006266299.tif 000005
【図４】
2006266299.tif 000006
【図５】
2006266299.tif 000007
【図６】
2006266299.tif 000008
【図７】
2006266299.tif 000009
【図８】
2006266299.tif 000010
【図９】
2006266299.tif 000011
【図１０】
2006266299.tif 000012
【図１１】
2006266299.tif 000013
【図１２】
2006266299.tif 000014
【図１３】
2006266299.tif 000015
【図１４】
2006266299.tif 000016
【図１５】
2006266299.tif 000017
【図１６】
2006266299.tif 000018
【図１７】
2006266299.tif 000019
【図１８】
2006266299.tif 000020
【図１９】
2006266299.tif 000021
【図２０】
2006266299.tif 000022
【図２１】
2006266299.tif 000023
【図２２】
2006266299.tif 000024